(57)【要約】【課題】手乾燥装置の一般利用者が容易に操作部に触れることを防止しつつ、操作者にとって操作部の視認性を向上させることができる手乾燥装置を提供する。【解決手段】本体ケース２は、床面１２と対向し且つノズル部４を保持するノズル保持面７を有し、ノズル保持面７の一部は電動送風機３方向に凹んだ凹部１１を有し、凹部１１は水平面に対して傾斜している第１平面１４を有し、第１平面１４は本体ケース２の前面側から本体ケース２の後面側である壁面１側に向かって床面１２方向に傾斜しており、第１平面１４に操作部９が設けられることを特徴とする手乾燥装置。【選択図】図１
2015177851.tif 000002
【特許請求の範囲】
【請求項１】
壁面に取り付けられる本体ケースと、
前記本体ケース内部に高圧空気を送出する電動送風機と、
前記電動送風機の下方に設けられ前記高圧空気を吹き出すノズル部とを有する手乾燥装置であって、
前記本体ケースは、床面と対向し且つ前記ノズル部を保持するノズル保持面を有し、
前記ノズル保持面の一部は前記電動送風機方向に凹んだ凹部を有し、
前記凹部は水平面に対して傾斜している第１平面を有し、
前記第１平面は前記本体ケースの前面側から前記本体ケースの後面側である前記壁面側に向かって床面方向に傾斜しており、
前記第１平面に操作部が設けられることを特徴とする手乾燥装置。
【請求項２】
前記凹部は前記第１平面より前記前面側にある第２平面を有し、
前記第２平面の前記後面側の端部は前記第１平面の前記前面側の端部と隣接し、
前記第２平面は前記後面側から前記前面側に向かって前記床面方向に傾斜していることを特徴とする請求項１に記載の手乾燥装置。
【請求項３】
前記第１平面と前記第２平面が交わる角度は９０度以上１８０度未満であり、
前記第１平面が水平面に対して傾斜する角度は、前記第２平面が水平面に対して傾斜する角度より小さいことを特徴とする請求項１または２に記載の手乾燥装置。
【請求項４】
前記ノズル部は第１ノズル部と第２ノズル部とに分けられ、
前記第２ノズル部は互いに離れて設置された右側第２ノズルと左側第２ノズルとで構成され、
前記第２ノズル部は前記第１ノズル部よりも前記後面側に所定の距離を離して設けられている手乾燥装置において、
前記第１平面の前面側辺の長さは前記第１平面の後面側辺の長さよりも小さく、
前記前面側辺は前記右側第２ノズルと前記左側第２ノズルとの間に設けられ、
前記後面側辺は前記第２ノズル部よりも前記後面側に設けられることを特徴とする請求項１から３いずれかに記載の手乾燥装置。
【請求項５】
前記第１平面の前記後面側辺の長さは、前記右側第２ノズルと前記左側第２ノズルとの間の長さよりも長いことを特徴とする請求項４に記載の手乾燥装置。
【請求項６】
前記第１平面の形状は台形形状であることを特徴とする請求項４または５に記載の手乾燥装置。
【請求項７】
前記ノズル部の下方に挿入された手を検知して前記電動送風機を作動させる手検知手段を有し、
前記手検知手段は前記第１平面に設けられたことを特徴とする請求項１から６のいずれかに記載の手乾燥装置。
【請求項８】
前記本体ケースと前記凹部は一体化して形成されたことを特徴とする請求項１から７のいずれかに記載の手乾燥装置。
【請求項９】
前記第１平面が水平面に対して傾斜する角度は、７°以上１６°以下であることを特徴とする請求項１から８のいずれかに記載の手乾燥装置。
【発明の詳細な説明】
【技術分野】
【０００１】
本発明は、水洗い等で濡れた手を乾燥させるために、洗面所やトイレ、キッチン等で使用する手乾燥装置に関するものである。
【背景技術】
【０００２】
従来の手乾燥装置には、清掃やメンテナンスを行うために手乾燥装置のＯＮ−ＯＦＦを切り替えることができる電源スイッチや、状況に合わせて風量や温度の調整などを行うことができるスイッチなどで構成された操作部が備えられている。この操作部は手を乾燥させる目的で手乾燥装置を使用する利用者にとっては触れる必要性がない部分であるため、利用者の目線と同じ位置である正面上方より手乾燥装置を見る際には、操作部は隠蔽されるように設置されている。具体的には、操作部は本体ケース下部に、水平に近い角度で、床面に対向するように設置されてあるものが知られている。（例えば、特許文献１参照）。
【０００３】
以下、その従来例について図４を参照しながら説明する。
【０００４】
図４に示すように、従来の手乾燥装置は、本体ケース１０１と、電動送風機１０２と、ノズル１０３を備えている。本体ケース１０１は壁面１０４に備え付けられて、本体ケース１０１下方には手乾燥空間１０５があり、利用者は手乾燥装置の正面側から手乾燥空間１０５に手１０６を抜き差しできるようになっている。手乾燥空間１０５の上部には、挿入された手１０６を検知する手検知手段１０７が備えられており、利用者が手１０６を手乾燥空間１０５に挿入すると、手検知手段１０７が反応し、電動送風機１０２が作動する。電動送風機１０２が作動すると、気流発生部１０８より高圧空気１０９ａが発生し、ノズル１０３から高圧空気１０９ｂを手乾燥空間１０５に向けて吹き出す。ノズル１０３より吹き出した高圧空気１０９ｂが手１０６に衝突することで、手１０６に付着した水滴を吹き飛ばして手１０６を乾燥させる仕組みである。手乾燥空間１０５上部には、清掃やメンテナンスを行うために手乾燥装置のＯＮ−ＯＦＦを切り替えることができる電源スイッチや、状況に合わせて風量や温度の調整などを行うことができるスイッチなどで構成された操作部１１０が水平に近い角度で、床面１１１に対向するように設置されている。
【先行技術文献】
【特許文献】
【０００５】
【特許文献１】特開２００８−４８９４２号公報
【発明の概要】
【発明が解決しようとする課題】
【０００６】
このような従来の手乾燥装置では、手を乾燥させる目的で手乾燥装置を使用する利用者が容易に操作部に触れることがないように、操作部は床面に対向しながら、床面に対し水平に近い角度に設置されているので、手乾燥装置の正面に立った利用者の視界からは操作部が隠れるようになっている。しかし、清掃やメンテナンス、風量調整などの目的で操作部を使用する者（＝操作者）にとっても操作部の視認性が悪いという課題があった。
【０００７】
本発明は、このような従来の課題を解決するものであり、手乾燥装置の一般利用者が容易に操作部に触れることを防止しつつ、操作者にとって操作部の視認性を向上させることができる手乾燥装置を提供することを目的とする。
【課題を解決するための手段】
【０００８】
本発明の一態様に係る手乾燥装置は、上記目的を達成するために、壁面に取り付けられる本体ケースと、前記本体ケース内部に高圧空気を送出する電動送風機と、前記電動送風機の下方に設けられ前記高圧空気を吹き出すノズル部とを有する手乾燥装置であって、前記本体ケースは、床面と対向し且つ前記ノズル部を保持するノズル保持面を有し、前記ノズル保持面の一部は前記電動送風機方向に凹んだ凹部を有し、前記凹部は水平面に対して傾斜している第１平面を有し、前記第１平面は前記本体ケースの前面側から前記本体ケースの後面側である前記壁面側に向かって床面方向に傾斜しており、前記第１平面に操作部が設けられることを特徴とするものである。
【発明の効果】
【０００９】
本発明によれば、操作部が設けられた第１平面に垂直な垂直線を引いた場合、第１平面が水平面に対して傾斜していない場合に引いた垂直線に比べて、本体ケースの後面よりも前面の方向に垂直線を引くことができる。すなわち、操作部が設けられた第１平面が上記構成のように水平面に対して傾斜しているため、操作者が手乾燥装置の正面に対面して手乾燥装置の下側から操作部を見たときの視線を、操作部表示面に対してより垂直に近い角度にすることができる。このため、操作者にとって従来よりも操作部の視認性を向上させることができる。
【００１０】
また、操作部が設けられた第１平面は凹部を形成しているため、手乾燥装置の一般利用者が容易に触れることがない位置に操作部を配置できる。
【００１１】
このように、手乾燥装置の一般利用者が容易に操作部に触れることを防止しつつ、操作者にとって操作部の視認性を向上させることができるのである。
【図面の簡単な説明】
【００１２】
【図１】本発明の実施の形態１の手乾燥装置の側面断面を示す構成図
【図２】同手乾燥装置の側面断面を示す拡大構成図
【図３】本発明の実施の形態２の手乾燥装置のノズル保持面を示す図
【図４】従来例の手乾燥装置の側面断面を示す構成図
【発明を実施するための形態】
【００１３】
本発明の一態様に係る手乾燥装置は、壁面に取り付けられる本体ケースと、前記本体ケース内部に高圧空気を送出する電動送風機と、前記電動送風機の下方に設けられ前記高圧空気を吹き出すノズル部とを有する手乾燥装置であって、前記本体ケースは、床面と対向し且つ前記ノズル部を保持するノズル保持面を有し、前記ノズル保持面の一部は前記電動送風機方向に凹んだ凹部を有し、前記凹部は水平面に対して傾斜している第１平面を有し、前記第１平面は前記本体ケースの前面側から前記本体ケースの後面側である前記壁面側に向かって床面方向に傾斜しており、前記第１平面に操作部が設けられるという構成を有する。
【００１４】
この構成によれば、操作部が設けられた第１平面に垂直な垂直線を引いた場合、第１平面が水平面に対して傾斜していない場合に引いた垂直線に比べて、本体ケースの後面よりも前面の方向に垂直線を引くことができる。すなわち、操作部が設けられた第１平面が上記構成のように水平面に対して傾斜しているため、操作者が手乾燥装置の正面に対面して手乾燥装置の下側から操作部を見たときの視線を、操作部表示面に対してより垂直に近い角度にすることができる。このため、操作者にとって従来よりも操作部の視認性を向上させることができる。
【００１５】
また、操作部が設けられた第１平面は凹部を形成しているため、手乾燥装置の一般利用者が容易に触れることがない位置に操作部を配置できる。
【００１６】
このように、手乾燥装置の一般利用者が容易に操作部に触れることを防止しつつ、操作者にとって操作部の視認性を向上させることができるのである。
【００１７】
また、前記凹部は前記第１平面より前記前面側にある第２平面を有し、前記第２平面の前記後面側の端部は前記第１平面の前記前面側の端部と隣接し、前記第２平面は前記後面側から前記前面側に向かって前記床面方向に傾斜しているという構成にしてもよい。
【００１８】
この構成によれば、手乾燥装置の正面に対面して手乾燥装置の下側から操作部を見た場合、第２平面により操作部が隠れてしまうことを防ぐことができる。このため、操作部の視認性をさらに向上させることができる。
【００１９】
また、前記第１平面と前記第２平面が交わる角度は９０度以上１８０度未満であり、
前記第１平面が水平面に対して傾斜する角度は、前記第２平面が水平面に対して傾斜する角度より小さいという構成にしてもよい。
【００２０】
この構成によれば、本体ケースの中に電動送風機が設けられているために凹部の凹み方向の深さの寸法が限定されている中で、第１平面と第２平面の隣接部を本体ケースの前面側に配置することができる。すなわち、決められた寸法の範囲内で第１平面の面積を大きくすることができる。このため、第１平面に操作部を設置するために必要な面積を確保しながら、操作部の視認性を向上させることができる。
【００２１】
また、前記ノズル部は第１ノズル部と第２ノズル部とに分けられ、前記第２ノズル部は互いに離れて設置された右側第２ノズルと左側第２ノズルとで構成され、前記第２ノズル部は前記第１ノズル部よりも前記後面側に所定の距離を離して設けられている手乾燥装置において、前記第１平面の前面側辺の長さは前記第１平面の後面側辺の長さよりも小さく、前記前面側辺は前記右側第２ノズルと前記左側第２ノズルとの間に設けられ、前記後面側辺は前記第２ノズル部よりも前記後面側に設けられるという構成にしてもよい。
【００２２】
この構成によれば、第２ノズル部の位置を変更することなく、第１平面の面積を大きく確保できる。第２ノズル部の位置を変更すれば、手を乾燥する性能に影響を与えるが、第２ノズル部の位置を変更する必要がないため、手の乾燥性能を落とすことなく、第１平面の前後方向および横方向の長さを大きくすることができる。このため、乾燥性能を上げるために好ましい位置に第２ノズル部を設置しながら、複数の部分で構成された操作部を設置するために必要な面積を第１平面に確保することができる。
【００２３】
また、前記第１平面の前記後面側辺の長さは、前記右側第２ノズルと前記左側第２ノズルとの間の長さよりも長いという構成にしてもよい。
【００２４】
この構成によれば、手乾燥性能を維持しつつ、さらに第１平面の面積を大きくすることができる。
【００２５】
また、前記第１平面の形状は台形形状であるという構成にしてもよい。
【００２６】
この構成によれば、手乾燥性能を維持しつつ、さらに第１平面の面積を大きくすることができる。
【００２７】
また、前記ノズル部の下方に挿入された手を検知して前記電動送風機を作動させる手検知手段を有し、前記手検知手段は前記第１平面に設けられたという構成にしてもよい。
【００２８】
この構成によれば、手検知方向は、手検知手段が水平面上に設置されている場合の手検知方向に比べて、傾斜角度だけ本体ケースの前面側に向かう角度をつけることができる。すなわち、手の検知範囲を手乾燥装置の利用者に近づけることができる。これにより、手検知手段がより早く手乾燥装置の利用者の手を検知できる。このため、手を乾燥する開始時間を早くでき、より短い時間で利用者の手を乾燥することができる。
【００２９】
また、前記本体ケースと前記凹部は一体化して形成されたという構成にしてもよい。
【００３０】
この構成によれば、本体ケースと凹部を複数の部品で形成したものに比べて、部品点数を減らすことができ、さらに複数の部品を利用することにより生じる部品間の隙間を減らすことができる。このため、本体ケースと凹部を形成するための部品組み立て工数を削減することができ、さらに部品と部品の隙間に溜まる汚れの発生を抑えることができる。
【００３１】
また、前記第１平面が水平面に対して傾斜する角度は、７°以上１６°以下であるという構成にしてもよい。
【００３２】
この構成によれば、第１平面の上方に設けられた電動送風機をさらに上方に移動させる必要がないため、本体ケースをコンパクトにすることができる。また、第１平面が水平面に対して傾斜する角度は、７°以上１６°以下であれば、操作部を配置するために第１平面１４の面積を十分に確保できる。
【００３３】
以下、本発明の実施の形態について、図面を参照しながら説明する。
【００３４】
（実施の形態１）
図１および図２を用いて、本発明の第１の実施の形態の手乾燥装置について説明する。
【００３５】
本実施の形態による手乾燥装置は、図１に示すように、本体ケース２の中に高圧空気を発生する電動送風機３と、電動送風機３の下方にノズル部４が備えられている。
【００３６】
本体ケース２の背面側には壁掛け部分２２があり、この壁掛け部分２２により洗面所などの壁面１に本体ケース２が取り付けられる。
【００３７】
本体ケース２下方には、手乾燥空間５が形成されており、手乾燥装置の利用者が手６を抜き差しできるようになっている。
【００３８】
本体ケース２はノズル部４を保持するノズル保持面７を有している。ノズル保持面７は床面１２と対向している。ノズル保持面７の一部は電動送風機３方向に凹んだ凹部１１がある。
【００３９】
凹部１１には操作部９と手検知手段８が備えてある。
【００４０】
操作部９は、手乾燥装置のＯＮ−ＯＦＦを切り替える電源部分や、状況に合わせた風量や温度にするために運転モードを切り替えることができるスイッチなどにより構成される。
【００４１】
手乾燥装置の利用者が手６を手乾燥空間５に挿入すると手検知手段８が反応して電動送風機３が作動し、気流発生部２３より高圧空気２４ａを送出し、ノズル部４より高圧空気２４ｂが吹き出す。吹き出した高圧空気２４ｂが手乾燥装置の利用者の手６にあたり、手６に付着している水滴を吹き飛ばし乾燥させる。その際、手乾燥装置の利用者は手６を本体ケース２の前面から後面である壁面１方向に向かって挿入する場合が多い。吹き飛ばされた水滴は、手乾燥空間５下方に備えてある水受け部２５に溜まるようになっている。利用者の手６が手検知手段８の検知範囲から一定時間はずれると電動送風機３が停止する。
【００４２】
図２に操作部９周辺の拡大図を示す。
【００４３】
凹部１１は、電動送風機３方向へ凹部の深さＬで凹んでおり、第１平面１４と第２平面１６とを有している。
【００４４】
第１平面１４は、水平面に対して角度θａを成して傾斜し、本体ケース２の前面側から本体ケース２の後面側である壁面１側に向かって床面１２方向に傾斜している。第１平面１４には手検知手段８と操作部９が設置されている。
【００４５】
第２平面１６は、水平面に対して角度θｂを成して傾斜し、本体ケース２の後面側から本体ケース２の前面側に向かって床面１２方向に傾斜している。第２平面１６は、第１平面１４よりも本体ケース２の前面側にある。第２平面１６の後面側の端部は第１平面１４の前面側の端部と隣接するように設けられている。この隣接する部分は隣接部１７を形成する。
【００４６】
上記構成による作用、効果について説明する。
【００４７】
第１平面１４に垂直な垂直線１４ａを引いた場合、傾斜していない平面（水平面）に垂直な垂直線１４ｂに比べて垂直線を本体ケース２の後面よりも前面の方向に引くことができる。
【００４８】
すなわち、第１平面１４が上記構成のように水平面に対して傾斜して、第１平面１４に操作部９が設けられているため、手乾燥装置の正面に対面して手乾燥装置の下側から操作部９を見たときの視線を、操作部９の表示面に対してより垂直に近い角度にできる。
【００４９】
このように、本発明の実施の形態１の手乾燥装置によれば、手乾燥装置の一般利用者が容易に触れることがない位置に操作部９を配置しつつ、操作者にとって操作部９の視認性を向上させることができるのである。
【００５０】
また、凹部１１に操作部９が設けられているので、手乾燥装置の利用時に、利用者の手６が操作部９に接触しにくくすることができる。この結果、利用者が操作部９に接触することにより生じる不快感の低減したり、操作部９への汚れ付着を減らすことができる。
【００５１】
また、第２平面１６を本体ケース２の後面側から前面側に向かって床面１２方向に傾斜させることが好ましい。
【００５２】
この構成によれば、手乾燥装置の正面に対面して手乾燥装置の下側から操作部９を見た場合、第２平面１６により操作部９が隠れてしまうことを防ぐことができる。このため、操作部９の視認性をさらに向上させることができる。
【００５３】
また、第１平面１４と第２平面１６が交わる角度θｃは９０度以上１８０度未満であり、第１平面１４が水平面に対して傾斜する角度θａは、第２平面１６が水平面に対して傾斜する角度θｂより小さいことが好ましい。
【００５４】
この構成によれば、本体ケース２の中に電動送風機３が設けられているために凹部１１の凹み方向の凹部の深さＬの寸法が限定されている中で、角度θａを角度θｂより小さくすることで、第１平面１４と第２平面１６の隣接部１７を例えば本体ケース２の中央部よりも前面側に配置することができる。すなわち、決められた寸法の範囲内で第１平面１４の面積を大きくすることができる。このため、第１平面１４に操作部９を設置するために必要な面積を確保しながら、操作部９の視認性を向上させることができる。
【００５５】
また、ノズル部４の下方に挿入された手６を検知して電動送風機３を作動させる手検知手段８は、第１平面１４に設けられることが好ましい。
【００５６】
この構成によれば、手検知方向２６ａは、手検知手段８が水平面上に設置されている場合の手検知方向２６ｂに比べて、傾斜角度θｄだけ本体ケース２の前面側に向かう角度をつけることができる。すなわち、手６の検知範囲を手乾燥装置の利用者に近づけることができる。これにより、手検知手段８がより早く手乾燥装置の利用者の手を検知できる。このため、手を乾燥する開始時間を早くでき、より短い時間で利用者の手を乾燥することができる。
【００５７】
また、本体ケース２と凹部１１を一体化して形成することが好ましい。
【００５８】
この構成によれば、本体ケース２と凹部１１を複数の部品で形成したものに比べて、部品点数を減らすことができ、さらに複数の部品を利用することにより生じる部品間の隙間を減らすことができる。このため、本体ケース２と凹部１１を形成するための部品組み立て工数を削減することができ、さらに部品と部品の隙間に溜まる汚れの発生を抑えることができる。
【００５９】
また、第１平面１４が水平面に対して傾斜する角度θａは、７°以上１６°以下であることが好ましい。
【００６０】
この構成によれば、第１平面１４の上方に設けられた電動送風機３をさらに上方に移動させる必要がないため、本体ケース２をコンパクトにすることができる。また、角度θａは、７°以上１６°以下であれば、操作部９を配置するために第１平面１４の面積を十分に確保できる。
【００６１】
（実施の形態２）
図３を用いて、本発明の第２の実施の形態の手乾燥装置について説明する。本装置の基本的な構成要素は第１の実施の形態と同様であり、変更部分のみ記載する。
【００６２】
図３は、ノズル保持面７を床面１２側から上へ向かって見た図である。図３に示すように、ノズル部４は第１ノズル部１８と第２ノズル部１９に分けられる。
【００６３】
そして、第２ノズル部１９は互いに離れて設置された左側第２ノズル１９ａと右側第２ノズル１９ｂとで構成される。第２ノズル部１９は第１ノズル部１８よりも本体ケース２の後面側（壁面１側）に所定の距離を離して設置されており、利用者が手乾燥空間５に手６を挿入したときに指先にあたるよう例えばノズル保持面７中央部近傍に設置されている。
【００６４】
第１平面１４の前面側辺２０（第１平面１４の前面側の端部の辺）の長さは、第１平面１４の後面側辺２１（第１平面１４の後面側の端部の辺）の長さより小さくなっており、前面側辺２０は左側第２ノズル１９ａと右側第２ノズル１９ｂとの間に設けられている。
【００６５】
後面側辺２１は第２ノズル部１９よりも本体ケース２の後面側（壁面１側）に設けられている。
【００６６】
ここで、前面側辺２０は、左側第２ノズル１９ａから右側第２ノズル１９ｂの方向へベクトル成分を持つ線分であり、この例では、前面側辺２０は隣接部１７を形成している。
【００６７】
また、後面側辺２１は、左側第２ノズル１９ａから右側第２ノズル１９ｂの方向へベクトル成分を持つ線分である。
【００６８】
第１平面１４には、手検知手段８と操作部９が設けてあり、操作部９は例えば電源ボタン、風量調整ボタン、温度調整ボタンなど複数の部分により構成されている。
【００６９】
上記構成による作用、効果を説明する。
【００７０】
第１平面１４の前面側辺２０の長さを後面側辺２１の長さより小さくし、前面側辺２０を左側第２ノズル１９ａと右側第２ノズル１９ｂの間に設け、後面側辺２１は第２ノズル部１９よりも本体ケース２の後面側（壁面１側）に設けている。
【００７１】
この構成により、第２ノズル部１９の位置を変更することなく、第１平面１４の面積を大きく確保できる。第２ノズル部１９の位置を変更すれば、手を乾燥する性能に影響を与えるが、第２ノズル部１９の位置を変更する必要がないため、手の乾燥性能を落とすことなく、第１平面１４の前後方向および横方向の長さを大きくすることができる。
【００７２】
このように本発明の実施の形態２の手乾燥装置によれば、乾燥性能を上げるために好ましい位置に第２ノズル部１９を設置しながら、複数の部分で構成された操作部９を設置するために必要な面積を第１平面１４に確保することができるのである。
【００７３】
なお、第１平面１４の後面側辺２１の長さは、右側第２ノズル１９ｂと左側第２ノズル１９ａとの間の長さよりも長いことが好ましい。
【００７４】
この構成によれば、手乾燥性能を維持しつつ、さらに第１平面１４の面積を大きくすることができる。
【００７５】
また、第１平面１４の形状は、上辺を前面側辺２０、底辺を後面側辺２１とする台形形状であることが好ましい。
【００７６】
この構成によれば、手乾燥性能を維持しつつ、さらに第１平面１４の面積を大きくすることができる。
【００７７】
なお、以下に実施の形態１または実施の形態２の手乾燥装置について補足する。
【００７８】
実施の形態では、第１平面１４に手検知手段８を設けたが、第１平面１４以外の部分に手検知手段８を設けても、本願発明の効果を得ることは可能である。
【００７９】
また、手検知手段８は、利用者方向に向かう角度がついていれば、第１平面１４上に設置されていなくても、手検知手段８がより早く手乾燥装置の利用者の手を検知できる効果を得ることは可能である。
【００８０】
また、第２平面１６は本体ケース２の後面側から前面側に向かって床面１２方向に傾斜している例を示したが、第２平面１６は本体ケース２の前面側に向かって床面１２方向に傾斜していなくても、或いは別の形状であっても、本願発明の効果を得ることは可能である。
【００８１】
また、ノズル部４の下方に吹き飛ばした水滴を受け止めるために水受け部２５が設けられる例を示したが、水受け部２５がない場合でも、作用効果に差異はない。
【００８２】
また、第１平面１４の形状を台形形状としたが、台形形状である必要はない。他の形状であっても、第１平面１４が前面側辺２０および前面側辺２０よりも長い後面側辺２１を有していれば、手乾燥性能を維持しつつ、さらに第１平面１４の面積を大きくすることができる。
【００８３】
また、凹部１１の水平面の切口が台形形状以外の切口であってもよい。
【産業上の利用可能性】
【００８４】
本発明は、手乾燥装置の操作部の視認性を向上させることを可能とするものであるので、手乾燥装置への利用以外にも、公共の場にある様々な機器への利用可能性が考えられる。
【符号の説明】
【００８５】
１  壁面
２  本体ケース
３  電動送風機
４  ノズル部
５  手乾燥空間
６  手
７  ノズル保持面
８  手検知手段
９  操作部
１１  凹部
１２  床面
１４  第１平面
１４ａ  第１平面に対する垂直線
１４ｂ  水平面に対する垂直線
１６  第２平面
１７  隣接部
１８  第１ノズル部
１９  第２ノズル部
１９ａ  左側第２ノズル
１９ｂ  右側第２ノズル
２０  前面側辺
２１  後面側辺
２２  壁掛け部分
２３  気流発生部
２４ａ  高圧空気
２４ｂ  高圧空気
２５  水受け部
２６ａ  第１平面が傾斜している場合の手検知方向
２６ｂ  第１平面が水平の場合の手検知方向
θａ  第１平面が水平面と成す角度
θｂ  第２平面が水平面と成す角度
θｃ  第１平面と第２平面が成す角度
θｄ  ２６ａと２６ｂの角度差
Ｌ  凹部の深さ
１０１  本体ケース
１０２  電動送風機
１０３  ノズル
１０４  壁面
１０５  手乾燥空間
１０６  手
１０７  手検知手段
１０８  気流発生部
１０９ａ  高圧空気
１０９ｂ  高圧空気
１１０  操作部
１１１  床面
【図１】
2015177851.tif 000003
【図２】
2015177851.tif 000004
【図３】
2015177851.tif 000005
【図４】
2015177851.tif 000006